【手続補正書】
【提出日】平成17年8月30日(2005.8.30)
【手続補正１】
【補正対象書類名】明細書
【補正対象項目名】特許請求の範囲
【補正方法】変更
【補正の内容】
【特許請求の範囲】
【請求項１】  送信側ファクシミリ装置と、
前記送信側ファクシミリ装置と電話回線を介して接続された送信側ゲートウェイ装置と、
前記送信側ゲートウェイ装置と電話回線とは異なるパケット通信網を介して接続された受信側ゲートウェイ装置と、
前記受信側ゲートウェイ装置と電話回線を介して接続された受信側ファクシミリ装置とを備え、
前記受信側ゲートウェイ装置は、
前記送信側ゲートウェイ装置から送信される画データを蓄積する画データ蓄積手段と、
前記パケット通信網における通信状況に基づき、前記画データ蓄積手段に蓄積する画データの蓄積量を算出する蓄積データ量算出手段と、
前記画データ蓄積手段に蓄積された画データの蓄積量を監視する蓄積データ監視手段と、
前記蓄積データ監視手段で監視した蓄積量が前記蓄積データ量算出手段で算出された蓄積量を越えたとき、前記受信側ファクシミリ装置へ前記画データ蓄積手段に蓄積された画データの送信を開始する画データ送信手段とを含むことを特徴とするファクシミリ通信システム。
【請求項２】  請求項１に記載のファクシミリ通信システムにおいて、
前記送信側ゲートウェイ装置は、更に、
前記送信側ファクシミリ装置へリアルタイム通信から蓄積通信への移行を通知する付加情報付きメッセージ確認（ＭＣＦ）信号を送信する蓄積通信移行通知手段と、
前記付加情報付きメッセージ確認（ＭＣＦ）信号を送信する能力を備える旨の付加情報付き非標準機能（ＮＳＦ）信号を前記送信側ファクシミリ装置へ送信する切替機能通知手段を備え、
前記送信側ファクシミリ装置は、
前記付加情報付きメッセージ確認（ＭＣＦ）信号の受信能力を有する旨前記送信側ゲートウェイ装置に伝達する非標準機能設定（ＮＳＳ）信号を送信する能力宣言通知手段を備え、
前記送信側ファクシミリ装置は、前記送信側ゲートウェイ装置から前記付加情報付き非標準機能（ＮＳＦ）信号を受信したとき、前記付加情報付きメッセージ確認（ＭＣＦ）信号の受信能力を有する旨前記送信側ゲートウェイ装置に伝達する非標準機能設定（ＮＳＳ）信号を送信し、
前記送信側ゲートウェイ装置は、前記付加情報付きメッセージ確認（ＭＣＦ）信号の受信能力を有する旨伝達する非標準機能設定（ＮＳＳ）信号を受信したとき、前記受信側ゲートウェイ装置からメッセージ確認（ＭＣＦ）信号受信のあるなしに関わらず前記送信側ファクシミリ装置から手順終了（ＥＯＰ）信号を所定の回数受信したとき前記付加情報付きメッセージ確認（ＭＣＦ）信号を前記送信側ファクシミリ装置へ送信することを特徴とするファクシミリ通信システム。
【請求項３】  請求項２に記載のファクシミリ通信システムにおいて、
前記送信側ファクシミリ装置は、
前記蓄積通信終了後に通信終了の確認通知を返送要求する旨の付加情報付き切断命令（ＤＣＮ）信号を前記送信側ゲートウェイ装置に送信する確認通知要求手段を備え、
前記送信側ゲートウェイ装置は、
前記通信終了の確認通知を付加した付加情報付き非標準機能設定（ＮＳＳ）信号を前記送信側ファクシミリ装置に返送する確認通知伝達手段を備えることを特徴とするファクシミリ通信システム。
【請求項４】  請求項２又は請求項３に記載のファクシミリ通信システムにおいて、
前記送信側ファクシミリ装置は、
前記確認通知要求手段に前記確認通知を受信するまでの有効期限を書き込む有効期限設定手段を備え、
前記送信側ゲートウェイ装置は、前記有効期限を認識して、前記通信終了の確認通知を付加した付加情報付き非標準機能設定（ＮＳＳ）信号を前記有効期限内に前記送信側ファクシミリ装置に返送する確認通知伝達手段を備えることを特徴とするファクシミリ通信システム。
【請求項５】  請求項１に記載のファクシミリ通信システムにおいて、
前記画データ蓄積手段は、前記送信側ゲートウェイ装置からディジタル命令（ＤＣＳ）信号を受け入れたとき前記受信側ファクシミリ装置へこのディジタル命令（ＤＣＳ）信号を転送して前記受信側ファクシミリ装置から受信準備確認（ＣＦＲ）信号を受け入れるのを待たずに、前記受信側ゲートウェイ装置は前記送信側ゲートウェイ装置に前記受信準備確認（ＣＦＲ）信号を返送して前記送信側ゲートウェイ装置から画データの受け入れを開始し、
前記蓄積データ監視手段は、前記送信側ゲートウェイ装置から画データの受け入れを開始した後この受け入れた画データの蓄積量を監視し、
前記蓄積データ量算出手段は、前記異種の通信回線中で前記画データの通信遅延が発生しても前記受信側ファクシミリ装置との間で通信障害を発生させないために必要とされる画データ蓄積量を算出し、
前記画データ送信手段は、前記蓄積データ監視手段によって監視される画データの蓄積量が前記通信障害を発生させないために必要とされる画データ蓄積量を越えたときに前記受信側ファクシミリ装置へ前記画データの転送を開始することを特徴とするファクシミリ通信システム。
【請求項６】  請求項１に記載のファクシミリ通信システムにおいて、
前記画データ蓄積手段は、前記受信側ゲートウェイ装置が前記送信側ゲートウェイ装置からディジタル命令（ＤＣＳ）信号を受け入れたとき前記受信側ファクシミリ装置へこのディジタル命令（ＤＣＳ）信号を転送して前記受信側ファクシミリ装置から受信準備確認（ＣＦＲ）信号を受信して、この受信準備確認（ＣＦＲ）信号を前記送信側ゲートウェイ装置に返送して前記送信側ゲートウェイ装置から画データの受け入れを開始し、
前記データ送信手段は、前記画データ蓄積手段が画データの受け入れを開始した後、前記受信側ゲートウェイ装置が前記受信側ファクシミリ装置へ再度前記ディジタル命令（ＤＣＳ）信号を転送して前記受信側ファクシミリ装置から受信準備確認（ＣＦＲ）信号を受信した後、前記受信側ファクシミリ装置へ画データの送信を開始することを特徴とするファクシミリ通信システム。
【手続補正２】
【補正対象書類名】明細書
【補正対象項目名】０００５
【補正方法】変更
【補正の内容】
【０００５】
【課題を解決するための手段】
本発明は以上の点を解決するため次の構成を採用する。
〈構成１〉
送信側ファクシミリ装置と、上記送信側ファクシミリ装置と、電話回線を介して接続された送信側ゲートウェイ装置と、上記送信側ゲートウェイ装置と電話回線とは異なるパケット通信網を介して接続された受信側ゲートウェイ装置と、上記受信側ゲートウェイ装置と電話回線を介して接続された受信側ファクシミリ装置とを備え、上記受信側ゲートウェイ装置は、上記送信側ゲートウェイ装置から送信される画データを蓄積する画データ蓄積手段と、上記パケット通信網における通信状況に基づき、上記画データ蓄積手段に蓄積する画データの蓄積量を算出する蓄積データ量算出手段と、上記画データ蓄積手段に蓄積された画データの蓄積量を監視する蓄積データ監視手段と、上記蓄積データ監視手段で監視した蓄積量が上記蓄積データ量算出手段で算出された蓄積量を越えたとき、上記受信側ファクシミリ装置へ上記画データ蓄積手段に蓄積された画データの送信を開始する画データ送信手段とを含むことを特徴とするファクシミリ通信システム。
【手続補正３】
【補正対象書類名】明細書
【補正対象項目名】０００６
【補正方法】変更
【補正の内容】
【０００６】
〈構成２〉
構成１に記載のファクシミリ通信システムにおいて、上記送信側ゲートウェイ装置は、更に、上記送信側ファクシミリ装置へリアルタイム通信から蓄積通信への移行を通知する付加情報付きメッセージ確認（ＭＣＦ）信号を送信する蓄積通信移行通知手段と、上記付加情報付きメッセージ確認（ＭＣＦ）信号を送信する能力を備える旨の付加情報付き非標準機能（ＮＳＦ）信号を上記送信側ファクシミリ装置へ送信する切替機能通知手段を備え、上記送信側ファクシミリ装置は、上記付加情報付きメッセージ確認（ＭＣＦ）信号の受信能力を有する旨上記送信側ゲートウェイ装置に伝達する非標準機能設定（ＮＳＳ）信号を送信する能力宣言通知手段を備え、上記送信側ファクシミリ装置は、上記送信側ゲートウェイ装置から上記付加情報付き非標準機能（ＮＳＦ）信号を受信したとき、上記付加情報付きメッセージ確認（ＭＣＦ）信号の受信能力を有する旨上記送信側ゲートウェイ装置に伝達する非標準機能設定（ＮＳＳ）信号を送信し、上記送信側ゲートウェイ装置は、上記付加情報付きメッセージ確認（ＭＣＦ）信号の受信能力を有する旨伝達する非標準機能設定（ＮＳＳ）信号を受信したとき、上記受信側ゲートウェイ装置からメッセージ確認（ＭＣＦ）信号受信のあるなしに関わらず上記送信側ファクシミリ装置から手順終了（ＥＯＰ）信号を所定の回数受信したとき上記付加情報付きメッセージ確認（ＭＣＦ）信号を上記送信側ファクシミリ装置へ送信することを特徴とするファクシミリ通信システム。
【手続補正４】
【補正対象書類名】明細書
【補正対象項目名】０００７
【補正方法】変更
【補正の内容】
【０００７】
〈構成３〉
構成２に記載のファクシミリ通信システムにおいて、上記送信側ファクシミリ装置は、上記蓄積通信終了後に通信終了の確認通知を返送要求する旨の付加情報付き切断命令（ＤＣＮ）信号を上記送信側ゲートウェイ装置に送信する確認通知要求手段を備え、上記送信側ゲートウェイ装置は、上記通信終了の確認通知を付加した付加情報付き非標準機能設定（ＮＳＳ）信号を上記送信側ファクシミリ装置に返送する確認通知伝達手段を備えることを特徴とするファクシミリ通信システム。
【手続補正５】
【補正対象書類名】明細書
【補正対象項目名】０００８
【補正方法】変更
【補正の内容】
【０００８】
〈構成４〉
構成２又は３に記載のファクシミリ通信システムにおいて、上記送信側ファクシミリ装置は、上記確認通知要求手段に上記確認通知を受信するまでの有効期限を書き込む有効期限設定手段を備え、上記送信側ゲートウェイ装置は、上記有効期限を認識して、上記通信終了の確認通知を付加した付加情報付き非標準機能設定（ＮＳＳ）信号を上記有効期限内に上記送信側ファクシミリ装置に返送する確認通知伝達手段を備えることを特徴とするファクシミリ通信システム。
【手続補正６】
【補正対象書類名】明細書
【補正対象項目名】０００９
【補正方法】変更
【補正の内容】
【０００９】
〈構成５〉
構成１に記載のファクシミリ通信システムにおいて、上記画データ蓄積手段は、上記送信側ゲートウェイ装置からディジタル命令（ＤＣＳ）信号を受け入れたとき上記受信側ファクシミリ装置へこのディジタル命令（ＤＣＳ）信号を転送して上記受信側ファクシミリ装置から受信準備確認（ＣＦＲ）信号を受け入れるのを待たずに、上記受信側ゲートウェイ装置は上記送信側ゲートウェイ装置に上記受信準備確認（ＣＦＲ）信号を返送して上記送信側ゲートウェイ装置から画データの受け入れを開始し、上記蓄積データ監視手段は、上記送信側ゲートウェイ装置から画データの受け入れを開始した後この受け入れた画データの蓄積量を監視し、上記蓄積データ量算出手段は、上記異種の通信回線中で上記画データの通信遅延が発生しても上記受信側ファクシミリ装置との間で通信障害を発生させないために必要とされる画データ蓄積量を算出し、上記画データ送信手段は、上記蓄積データ監視手段によって監視される画データの蓄積量が上記通信障害を発生させないために必要とされる画データ蓄積量を越えたときに上記受信側ファクシミリ装置へ上記画データの転送を開始することを特徴とするファクシミリ通信システム。
〈構成６〉
構成１に記載のファクシミリ通信システムにおいて、上記画データ蓄積手段は、上記受信側ゲートウェイ装置が上記送信側ゲートウェイ装置からディジタル命令（ＤＣＳ）信号を受け入れたとき上記受信側ファクシミリ装置へこのディジタル命令（ＤＣＳ）信号を転送して上記受信側ファクシミリ装置から受信準備確認（ＣＦＲ）信号を受信して、この受信準備確認（ＣＦＲ）信号を上記送信側ゲートウェイ装置に返送して上記送信側ゲートウェイ装置から画データの受け入れを開始し、上記データ送信手段は、上記画データ蓄積手段が画データの受け入れを開始した後、上記受信側ゲートウェイ装置が上記受信側ファクシミリ装置へ再度上記ディジタル命令（ＤＣＳ）信号を転送して上記受信側ファクシミリ装置から受信準備確認（ＣＦＲ）信号を受信した後、上記受信側ファクシミリ装置へ画データの送信を開始することを特徴とするファクシミリ通信システム。